(57)【要約】【課題】アームの先端をハウジング内で撓ませても係止突起と爪部とを確実に係止することができるレバー式コネクタを提供する。【解決手段】下側梁部９４は案内溝４６内で支持面４５よりも下方に位置し、アーム６１の先端部８３は案内溝４６内において支持面４５よりも下方まで撓むことができる。レバーが本嵌合位置に位置しているときに、アーム６１の先端部８３が案内溝４６内に位置するように配設することにより、アーム６１の先端部８３を反嵌合面３３側から雌ハウジング２０の外側に突出させなくても、アーム６１を十分に撓ませることができる。【選択図】図１２
2008060029.tif 000002
【特許請求の範囲】
【請求項１】
ハウジングのレバー収容部内側において軸支されたレバーを備え、仮嵌合位置で相手方コネクタに係合した前記レバーを本嵌合位置まで回動操作することにより前記相手方コネクタと嵌合するレバー式コネクタにおいて、
前記レバー収容部は、支持板部と上板部と係止爪とを備え、
前記支持板部は、上方を向いて配設された支持面と前記支持面から下方に凹設された案内溝であって上方を向いた底面をもつ前記案内溝とを有し、
前記上板部は、前記支持面の少なくとも一部に対向し、
前記係止爪は、前記上板部から下方に突設され、
前記レバーは、主板部と案内片とアームとを備え、
前記主板部は、前記支持面上に軸支され、
前記案内片は、前記主板部から下方に延設され、
前記アームは、基端部と先端部と係止突起とを有し前記基端部で前記主板部から弾性的に片もち支持され、
前記先端部は、前記レバーが前記本嵌合位置に位置しているときに前記底面の上方に位置し、
前記係止突起は、前記基端部と前記先端部との間で上方に向けて隆設され、
前記レバーが前記仮嵌合位置から前記本嵌合位置まで回動する間に前記案内溝が前記案内片の少なくとも一部を案内すると共に前記係止爪が前記係止突起を押圧して乗り越え、前記係止突起が前記係止爪を係止することにより前記レバーを前記本嵌合位置に係止し、前記レバーが前記本嵌合位置に位置しているときに前記アームは前記先端部の少なくとも一部を前記支持面よりも下方に位置させるように撓み変形可能である、
レバー式コネクタ。
【請求項２】
前記支持板部は、前記案内溝内で前記レバーの回動半径の内側から外側に張り出した張り出し部を有し、
前記案内片は、前記主板部から下方に延設された中継部と前記中継部から前記回動半径の内側に延設された案内板部とを有し、
前記案内板部は、前記レバーが前記仮嵌合位置から前記本嵌合位置に回動する間に前記底面と前記張り出し部との間を通る、
請求項１のレバー式コネクタ。
【請求項３】
前記案内溝は、前記レバーが前記本嵌合位置から前記仮嵌合位置に回動するときに前記仮嵌合位置で前記レバーに当接して前記レバーの回動を規制する当接面を有する、
請求項１又は請求項２のレバー式コネクタ。
【発明の詳細な説明】
【技術分野】
【０００１】
本発明は、レバーを回動操作することにより相手方コネクタと嵌合するレバー式コネクタに関する。
【背景技術】
【０００２】
特許文献１には、レバーを回動操作することにより相手方コネクタと嵌合するレバー式コネクタが記載されている。特許文献１のレバー式コネクタは、本嵌合位置でレバーをハウジングに固定するためのアームを備え、アームの係止突起をハウジングの爪部で係止することにより、レバーを本嵌合位置に係止する。レバーの係止を解除するためには、アームの先端をレバーの板面に直行する方向に押し下げてアームを撓み変形させる。
【０００３】
【特許文献１】特開２００３−２４９３０５号公報
【発明の開示】
【発明が解決しようとする課題】
【０００４】
係止突起を爪部で確実に係止するためには、アームの撓み量をできるだけ大きくする必要がある。特許文献１のレバー式コネクタは、レバーが本嵌合位置にあるときにハウジングの反嵌合面側からアームを突出させるようにすることで、アームの撓み量を確保している。しかしながら、特許文献１のようにアームをハウジングから突出させると反嵌合面側のハウジング外にレバーを配置するための領域が必要となる。
【０００５】
本発明は、アームの先端をハウジング内で撓ませても係止突起と爪部とを確実に係止することができるレバー式コネクタを提供することを目的とする。
【課題を解決するための手段】
【０００６】
第１のレバー式コネクタは、ハウジングのレバー収容部内側において軸支されたレバーを備え、仮嵌合位置で相手方コネクタに係合したレバーを本嵌合位置まで回動操作することにより相手方コネクタと嵌合するものであって、レバー収容部は、支持板部と上板部と係止爪とを備える。支持板部は、上方を向いて配設された支持面と支持面から下方に凹設された案内溝であって上方を向いた底面をもつ案内溝とを有する。上板部は、支持面の少なくとも一部に対向する。係止爪は、上板部から下方に突設されている。レバーは、主板部と案内片とアームとを備え、主板部は、支持面上に軸支され、案内片は、主板部から下方に延設され、アームは、基端部と先端部と係止突起とを有し基端部で主板部から弾性的に片もち支持されている。さらに、先端部は、レバーが本嵌合位置に位置しているときに底面の上方に位置し、係止突起は、基端部と先端部との間で上方に向けて隆設されている。ここで、レバーが仮嵌合位置から本嵌合位置まで回動する間に案内溝が案内片の少なくとも一部を案内すると共に係止爪が係止突起を押圧して乗り越え、係止突起が係止爪を係止することによりレバーを本嵌合位置に係止し、レバーが本嵌合位置に位置しているときにアームは先端部の少なくとも一部を支持面よりも下方に位置させるように撓み変形可能である。
【０００７】
第１のレバー式コネクタによれば、アームの先端をハウジング内で撓ませても係止突起と爪部とを確実に係止することができる。
【０００８】
第２のレバー式コネクタは第１のレバー式コネクタにおいて、支持板部が案内溝内でレバーの回動半径の内側から外側に張り出した張り出し部を有し、案内片が主板部から下方に延設された中継部と中継部から回動半径の内側に延設された案内板部とを有している。ここで、案内板部は、レバーが仮嵌合位置から本嵌合位置に回動する間に底面と張り出し部との間を通る。
【０００９】
第２のレバー式コネクタによれば、レバーが上方に抜けることを防止できる。
【００１０】
第３のレバー式コネクタは第１又は第２のレバー式コネクタにおいて、案内溝は、レバーが本嵌合位置から仮嵌合位置に回動するときに仮嵌合位置でレバーに当接してレバーの回動を規制する当接面を有する。
【００１１】
第３のレバー式コネクタによれば、レバーを本嵌合位置から仮嵌合位置に回動操作する際に仮嵌合位置で確実に止めることができる。
【発明を実施するための最良の形態】
【００１２】
図１に示すように、第１の実施形態のコネクタ組立体１は、レバー式コネクタ１０と相手方コネクタ１１とを嵌合させて構成されている。本実施形態のコネクタ組立体１は、１つの相手方コネクタ１１に対して２つのレバー式コネクタ１０を幅方向１２に並べて嵌合させることができるが、相手方コネクタ１１に嵌合することができるレバー式コネクタ１０の数は１つであってもよいし２より多くてもよい。
【００１３】
図２は、相手方コネクタ１１の斜視図である。相手方コネクタ１１は、雄ハウジング１００と雄端子１０１とを有している。雄ハウジング１００には幅方向１２に２つの嵌合穴１０２が並設されており、各嵌合穴１０２は幅方向１２に直交した嵌合方向１３の一方に開口している。雄ハウジング１００は、嵌合穴１０２内にカム突起１０３と突条部１０４と複数の短絡解除リブ１０５とを有している。カム突起１０３は、幅方向１２及び嵌合方向１３に直交する高さ方向１４に沿って嵌合穴１０２の上部内面から下方に向けて突設されている。突条部１０４は、嵌合穴１０２の上部内面から下方に向けて突設されるとともに、嵌合方向１３に沿って嵌合穴１０２の奥から開口側に細長く形成されている。短絡解除リブ１０５は、嵌合穴１０２の奥から嵌合穴１０２内側に向けて嵌合方向１３に沿って突設されている。雄端子１０１は、雄ハウジング１００の嵌合方向１３奥側を貫通して各嵌合穴１０２内側に挿通されている。複数の雄端子１０１は、幅方向１２及び高さ方向１４に整列するようにマトリクス状に配設されている。
【００１４】
図３は、図１に示すコネクタ組立体１のＩＩＩ−ＩＩＩ断面図である。図４は、図１に示すレバー式コネクタ１０の斜視図である。図３に示すようにレバー式コネクタ１０は、雌ハウジング２０と複数の雌端子２１と複数の配線２２と複数の短絡端子２３とレバー２４とを有する。
【００１５】
図１に示すように、雌ハウジング２０は、端子収容部３０とレバー収容部３１とを有する。端子収容部３０とレバー収容部３１とは一体に形成されており、レバー収容部３１は、幅方向１２に直交した高さ方向１４において端子収容部３０の上方に位置している。
【００１６】
図３に示すように、端子収容部３０は、嵌合面３２と反嵌合面３３と複数の端子収容孔３４と複数の短絡端子収容穴３５とを有している。
【００１７】
嵌合時に相手方コネクタに対向する側に嵌合面３２が配設され、嵌合方向１３において嵌合面３２と反対側を向くように反嵌合面３３が配設されている。本実施形態の嵌合面３２及び反嵌合面３３は嵌合方向１３に直交している。
【００１８】
複数の端子収容孔３４は、それぞれ図１に示す反嵌合面３３と図４に示す嵌合面３２との間を図３に示すように嵌合方向１３に沿って貫通している。複数の端子収容孔３４は、図１及び図４に示すように幅方向１２及び高さ方向１４にマトリクス状に並設されている。図３に示すように各端子収容孔３４内には、嵌合面３２側から相手方コネクタ１１の雄端子１０１を挿脱可能な雌端子２１が収容されている。配線２２は、各端子収容孔３４に反嵌合面３３側から挿入されて各雌端子２１に接続されている。
【００１９】
図４に示すように複数の短絡端子収容穴３５は、嵌合面３２側に開口していると共に、一部の端子収容孔３４の上方に隣接配置されている。短絡端子収容穴３５と端子収容孔３４とは内部で連通している。図３に示す各短絡端子収容穴３５内には短絡端子２３が収容されている。各短絡端子２３は、端子収容部３０内で雌端子２１側に向けて弾性的に付勢されており、全ての短絡端子２３は電気的に接続されている。
【００２０】
図３に示すように、相手方コネクタ１１と嵌合している状態では相手方コネクタ１１の短絡解除リブ１０５が雌端子２１と短絡端子２３との間に挿入されて雌端子２１と短絡端子２３との短絡を解除している。一方、レバー式コネクタ１０が相手方コネクタ１１と離間しているときは、短絡端子２３が端子収容部３０内部で雌端子２１に短絡することにより、外部磁界の影響で電流が流れることを防止することができる。
【００２１】
図５の雌ハウジングの斜視図に示すように、レバー収容部３１は、支持板部４０及び上板部４１とを有し、さらに、図６に示す支軸４２と係止爪４３とストッパー４４とを有している。
【００２２】
図５に示すように支持板部４０は、端子収容部３０と上板部４１とを仕切るように配設されており、支持面４５と案内溝４６と張り出し部４７とを有している。本実施形態の支持面４５は、高さ方向１４に直交した平面で上方を向いて配設され、レバー２４が回動する回動面を規定している。案内溝４６は、支持面４５の反嵌合面３３側の縁部から下方に窪むように凹設されており、支持面４５より下方に配設されて上方を向いた底面４８と、底面４８から高さ方向に延在するレバー当接面４９とを有する。張り出し部４７は、案内溝４６内において支持面側から反嵌合面３３側に張り出している。本実施形態の張り出し部４７の上面と支持面４５は同一平面内に形成されている。
【００２３】
図５に示すように上板部４１は、支持板部４０との間に間隔をあけるようにして支持板部４０の上方に配設されている。上板部４１は、第１の切り欠き部５０と第２の切り欠き部５１とを有している。図４に示すように第１の切り欠き部５０及び第２の切り欠き部５１は、上板部４１を高さ方向１４に貫通するとともに嵌合面３２側に開口している。第１の切り欠き部５０は嵌合時にカム突起１０３を案内し、第２の切り欠き部５１は嵌合時に突条部１０４を案内する。
【００２４】
図６のＶＩ−ＶＩ断面図に示すように支軸４２は、支持面４５から上方に突設されている。
【００２５】
係止爪４３は、上板部４１から下方に突設されており嵌合方向１３よりも幅方向１２の幅が大きい。
【００２６】
ストッパー４４は、ストッパー基端部５２とストッパー先端部５３とを有する弾性的に撓み変形可能な棒状部材である。ストッパー４４は、反嵌合面３３側に位置するストッパー基端部５２において支持板部４０及び上板部４１によって片もち状に支持されると共に、ストッパー基端部５２から嵌合面３２側に向かって延設されており、支持面４５に沿ってストッパー先端部５３を遥動せるように撓み変形可能となっている。ストッパー先端部５３には、ストッパー突部５４とストッパー溝部５５とが設けられている。ストッパー突部５４は、幅方向１２において支軸４２側に突設されている。ストッパー溝部５５はストッパー突部５４の下方において支軸４２側に凹設されている。
【００２７】
図７及び図８の斜視図に示すようにレバー２４は、主板部６０とアーム６１と案内片６２とハンドル部６３とを有しており、レバー収容部３１内で図６に示す本嵌合位置と図９に示す仮嵌合位置との間で回動可能に軸支されている。
【００２８】
主板部６０は、板形状をもち上面７０と下面７１と軸受孔７２とカム溝７３とストッパー係止片７４とを有する。
【００２９】
本実施形態の上面７０は上方を向き、下面７１は下方を向いている。下面７１は、レバー収容部３１内の支持面４５で規定される回動面に平行に形成されている。
【００３０】
軸受孔７２は、上面７０と下面７１との間を高さ方向１４に貫通しており、図６に示すように支軸４２に回動可能に嵌め合わされている。レバー２４は、軸受孔７２を中心として回動面に沿って回動する。
【００３１】
図７に示すようにカム溝７３は、主板部６０の縁部で上面７０を窪ませた形状をもち、回動面に直交する当接面７５と押圧面７６とをもつ。当接面７５は、レバー２４が図９に示す仮嵌合位置に位置しているときに嵌合面３２側を向くように配設され、押圧面７６は、レバー２４が図６に示す本嵌合位置に位置しているときに反嵌合面３３側を向くように配設されている。
【００３２】
図９に示すようにストッパー係止片７４は、主板部６０の縁部から回動面の外側に突設されており、レバー２４が仮嵌合位置に位置しているときにストッパー溝部５５に係止されている。
【００３３】
図７に示すようにアーム６１は、主板部６０と一体に薄い帯状に形成されており主軸８０と係止突起８１とを有する。主軸８０は、上下方向に弾性的に撓み変形可能に形成されており、基端部８２と先端部８３とを有する。基端部８２は、図６に示すようにレバー２４が本嵌合位置に位置しているときに嵌合面３２側に位置し、アーム６１は、基端部８２で主板部６０に一体的に接続されている。図３に示すように先端部８３は、レバー２４が本嵌合位置に位置しているときに反嵌合面３３側であって案内溝４６上の底面４８上方に位置する。係止突起８１は、基端部８２と先端部８３との間で主軸８０から上方に突設されている。
【００３４】
図８に示すように案内片６２は、中継部９０と案内板部９１とを有する。中継部９０は、レバー２４が図６に示す本嵌合位置に位置しているときに主板部６０の反嵌合面３３側の縁部に来るように主板部６０から案内溝４６に向かって下方に延設されている。案内板部９１は、中継部９０の下端から下面７１に平行に軸受孔７２側に向けて延設されている。案内板部９１の下面は案内溝４６の底面４８に沿って摺動する。
【００３５】
図１０及び図１１は、図１におけるコネクタ組立体１のＸ−Ｘ断面図である。図１０に示すようにレバー２４が仮嵌合位置に位置しているときは、案内板部９１が張り出し部４７と案内溝４６の底面４８との間に位置し。レバーを仮嵌合位置から本嵌合位置に回動するときに、張り出し部４７と案内溝４６の底面４８との間を通り、図１１に示すようにレバー２４が本嵌合位置に位置しているときは、張り出し部４７が案内板部９１に重ならないように配設されている。図１０に示すように、本嵌合位置から仮嵌合位置に向けて回動操作されたレバー２４は、仮嵌合状態の位置でレバー当接面４９に当接して、さらに回動することができない。
【００３６】
図７に示すようにハンドル部６３は、グリップ部９２と上側梁部９３と下側梁部９４とを有する。グリップ部９２は、レバー２４が図９に示す仮嵌合位置に位置しているときに、反嵌合面３３側から雌ハウジング２０の外部に最も突き出る部位において、主板部６０よりも厚く形成されており、レバー２４を回動操作する際に手を添えやすくなっていると共に、グリップ部９２が幅広になっているため指で押圧しやすくなっている。上側梁部９３は、グリップ部９２からアーム６１の先端部８３の上方に架設されており、先端部８３が上方に撓み過ぎないように規制している。下側梁部９４は、グリップ部９２からアーム６１の先端部８３の下方に架設されており、先端部８３が下方に撓みすぎないように規制している。グリップ部９２の最下部及び下側梁部９４は案内溝４６の底面４８に沿って摺動する。
【００３７】
図１２は、図３の断面図においてアーム６１の先端部８３を下方に撓ませた状態を示す。図１２に示すように下側梁部９４は案内溝４６内で支持面４５よりも下方に位置し、アーム６１の先端部８３は案内溝４６内において支持面４５よりも下方まで撓むことができる。レバーが本嵌合位置に位置しているときに、アーム６１の先端部８３を案内溝４６内に配設することにより、アーム６１の先端部８３を反嵌合面３３側から雌ハウジング２０の外側に突出させなくても、アーム６１を十分に撓ませることができる。
【００３８】
レバー式コネクタ１０が相手方コネクタ１１と嵌合する際の動作について説明する。まず、図９に示すように、レバー式コネクタ１０を相手方コネクタ１１にわずかに挿入したとき、レバー２４はまだ仮嵌合位置で仮固定された状態にあり、カム突起１０３が図４の第１の切り欠き部５０により案内されると共に、突条部１０４が図４の第２の切り欠き部５１内に案内される。仮嵌合位置では、ストッパー係止片７４がストッパー溝部５５に係止されているため、レバーを本嵌合位置に向けて回動操作することができない。さらに、仮嵌合状態では、ハンドル部６３が反嵌合面３３側から雌ハウジング２０の外側に突出していると共に、カム溝７３の当接面７５が嵌合面３２側を向いている。
【００３９】
図１３に示すように、レバー式コネクタ１０を相手方コネクタ１１にさらに挿入すると、カム突起１０３が当接面７５に当接する。カム突起１０３は、当接面７５まで案内される間にストッパー突部５４を押圧してストッパー４４を支軸４２から遠ざける方向に撓ませる。ストッパー４４が撓むことによりストッパー溝部５５がストッパー係止片７４から離間するため、レバー２４を仮嵌合位置から本嵌合位置に向けて回動操作することが可能となる。
【００４０】
カム突起１０３が当接面７５に当接してから、ハンドル部６３をレバー収容部３１内に押し込める方向に押圧してレバー２４を回動操作していくと、カム突起１０３がカム溝７３の押圧面７６に押圧されながら、反嵌合面３３側に押し込まれ、相手方コネクタ１１がカム突起１０３と共に嵌合方向１３に沿って引き寄せられてレバー式コネクタ１０に徐々に嵌め合わされる。ハンドル部６３をレバー収容部３１内に押し込める方向に押圧してレバー２４を回動操作していく際に、係止爪４３がアーム６１の係止突起８１を下方に押圧することにより、アーム６１が下方に徐々に撓む。
【００４１】
図６に示すように、さらにハンドル部６３を押圧してレバー２４を本嵌合位置まで回動操作し終わると、カム突起１０３が完全に押し込まれ、相手方コネクタ１１がレバー式コネクタ１０と完全に嵌合し、雄端子１０１と雌端子２１との接触が完全なものとなる。一方で、レバー２４が本嵌合位置まで回動操作されると、図３に示すように係止爪４３がアーム６１の係止突起８１を乗り越えて係止突起８１により係止されることにより、レバー２４が本嵌合位置から仮嵌合位置に向かう方向に回動することができなくなる。
【００４２】
図３に示すように、レバー２４が本嵌合位置に位置しているときにアーム６１の先端部８３がレバー収容部３１の反嵌合面３３側から外部に突出しないことから、レバー式コネクタ１０をコンパクトに形成することができる。アーム６１の先端部８３を支持面４５よりも下に押し下げることができるため、レバー２４をコンパクトに形成した場合であっても、係止爪４３あるいは係止突起８１を大きく形成することができる。また、図６に示すように、レバー２４が本嵌合位置に位置しているときに相手方コネクタ１１の突条部１０４がアーム８０の上方に位置することにより、アーム８０に外力が加わった場合でもアーム２４が過度に上方に撓むことを防ぐことができる。
【００４３】
レバー式コネクタ１０を相手方コネクタ１１から離間するときは、図１２に示すようにアーム６１の先端部８３を押し下げて係止爪４３からアーム６１の係止突起８１を離間した状態で、ハンドル部６３を反嵌合面３３から突出するように引く。係止突起８１を係止爪４３から離した後、レバー２４を仮嵌合位置に向けて回動操作することにより、カム突起１０３をカム溝７３の当接面７５で押圧して相手方コネクタ１１をレバー式コネクタ１０から離す。
【００４４】
図１４は、第２の実施形態のレバー式コネクタ１１０の斜視図である。本実施形態のレバー式コネクタ１１０は、雌ハウジング１１１とレバー１１２とを備える。
【００４５】
雌ハウジング１１１は、第１の実施形態と同様の構成をもつ端子収容部１１３及びレバー収容部１１４を有し、さらに、支持部収容穴１１５を有する。端子収容部１１３は、レバー収容部１１４と支持部収容穴１１５との間に配設されている。支持部収容穴１１５は、反嵌合面３３側において幅方向１２に長く開口しており、内部にはレバー収容部１１４内の支軸と高さ方向１４において重なる位置に図示しない補助支軸が設けられている。
【００４６】
レバー１１２は、第１の実施形態と同様の構成をもつ主板部１１６とアーム１１７と案内片１１８とハンドル部１１９とを有し、さらに、支持部１２０と縦梁部１２１とを有する。支持部１２０は、支持部収容穴１１５内の支軸により回動面に平行に回動可能となるように軸支されている。縦梁部１２１は、端子収容部１１３を跨いでハンドル部１１９と支持部１２０とを高さ方向１４に沿って一体的に接続している。
【００４７】
縦梁部１２１を、反嵌合面３３側に最も突き出すように引くことにより、レバー１１２を仮嵌合位置に回動操作することができる。縦梁部１２１を、雌ハウジング１１１に押し込むように押圧することにより、レバー１１２を本嵌合位置に回動操作することができる。レバー１１２が本嵌合位置に位置しているときに、縦梁部１２１が端子収容部１１３の幅方向１２外側に位置するように形成されており、レバー１１２が本嵌合位置にあるときには雌ハウジング１１１の反嵌合面３３側からレバー１１２が突出しない構造となっている。
【００４８】
支持部１２０及び縦梁部１２１を設けることによりレバー１１２を回動面に沿って回動しやすくなる。
【図面の簡単な説明】
【００４９】
【図１】コネクタ組立体の正面図である。
【図２】図１の相手方コネクタの斜視図である。
【図３】図１のコネクタ組立体の断面図である。
【図４】図１のレバー式コネクタの斜視図である。
【図５】図４の雌ハウジングの斜視図である。
【図６】本嵌合位置にあるときの図１のコネクタ組立体の断面図である。
【図７】図４のレバーの斜視図である。
【図８】図４のレバーの他の斜視図である。
【図９】嵌合途中の図１のコネクタ組立体の他の断面図である。
【図１０】仮嵌合位置にあるときの図４のレバー及びハウジングの断面図である。
【図１１】本嵌合位置にあるときの図４のレバー及びハウジングの断面図である。
【図１２】図３のアームを下げたときのコネクタ組立体の断面図である。
【図１３】仮嵌合位置にあるときの図１のコネクタ組立体の他の断面図である。
【図１４】他のレバー式コネクタの斜視図である。
【符号の説明】
【００５０】
１      コネクタ組立体
１０    レバー式コネクタ
１１    相手方コネクタ
１２    幅方向
１３    嵌合方向
１４    高さ方向
２０    雌ハウジング
２１    雌端子
２２    配線
２３    短絡端子
２４    レバー
３０    端子収容部
３１    レバー収容部
３２    嵌合面
３３    反嵌合面
３４    端子収容孔
３５    短絡端子収容穴
４０    支持板部
４１    上板部
４２    支軸
４３    係止爪
４４    ストッパー
４５    支持面
４６    案内溝
４７    張り出し部
４８    底面
４９    レバー当接面
５０    第１の切り欠き部
５１    第２の切り欠き部
５２    ストッパー基端部
５３    ストッパー先端部
５４    ストッパー突部
５５    ストッパー溝部
６０    主板部
６１    アーム
６２    案内片
６３    ハンドル部
７０    上面
７１    下面
７２    軸受孔
７３    カム溝
７４    ストッパー係止片
７５    当接面
７６    押圧面
８０    主軸
８１    係止突起
８２    基端部
８３    先端部
９０    中継部
９１    案内板部
９２    グリップ部
９３    上側梁部
９４    下側梁部
１００  雄ハウジング
１０１  雄端子
１０２  嵌合穴
１０３  カム突起
１０４  突条部
１０５  短絡解除リブ
１１０  レバー式コネクタ
１１１  雌ハウジング
１１２  レバー
１１３  端子収容部
１１４  レバー収容部
１１５  支持部収容穴
１１６  主板部
１１７  アーム
１１８  案内片
１１９  ハンドル部
１２０  支持部
１２１  縦梁部
【図１】
2008060029.tif 000003
【図２】
2008060029.tif 000004
【図３】
2008060029.tif 000005
【図４】
2008060029.tif 000006
【図５】
2008060029.tif 000007
【図６】
2008060029.tif 000008
【図７】
2008060029.tif 000009
【図８】
2008060029.tif 000010
【図９】
2008060029.tif 000011
【図１０】
2008060029.tif 000012
【図１１】
2008060029.tif 000013
【図１２】
2008060029.tif 000014
【図１３】
2008060029.tif 000015
【図１４】
2008060029.tif 000016